(57)【要約】  【課題】創面が広いときに特に有効に適用できて、使用後に簡単、適切に剥がすことを可能にする新たな構造のパッド付き救急絆創膏を提供する。  【解決手段】パッド８の周囲全域に粘着テープ１による充分な粘着しろ１ｘを有するものにおいて、粘着しろ１ｘのうち、パッド８から離れすぎず、かつパッド８の極近傍を避けた位置に、患部から剥がす際にパッド８を摘み上げることにより破断可能な破断誘導部３をパッド８の周囲に一部余白部６を残して形成し、その破断誘導部３が破断されるに伴い、余白部６を介して破断誘導部３の内側の粘着しろ１ａから外側の粘着しろ１ｂに粘着テープ１が連なった状態で剥がされるようにした。  【選択図】図２
2009240603.tif 000002
【特許請求の範囲】
【請求項１】
パッドの周囲全域に粘着テープによる充分な粘着しろを有するパッド付き救急絆創膏であって、前記粘着しろのうち、パッドから離れすぎず、かつパッドの極近傍を避けた位置に、患部から剥がす際にパッドを摘み上げることにより破断可能な破断誘導部をパッドの周囲に一部余白部を残して形成し、その破断誘導部が破断されるに伴い、前記余白部を介して破断誘導部の内側から外側に粘着テープが連なった状態で剥がされるようにしたことを特徴とするパッド付き救急絆創膏。
【請求項２】
破断誘導部に、パッドの周囲から離れて粘着テープの端部に至る第２の破断誘導部を連設し、破断誘導部に引き続き第２の破断誘導部が破断されるに伴い、前記余白部を介して破断誘導部の内側から外側に粘着テープが連なって螺旋状に剥がされるようにしたことを特徴とする請求項１記載のパッド付き救急絆創膏。
【発明の詳細な説明】
【技術分野】
【０００１】
本発明は、パッドの周囲全域に充分な粘着しろを有し、創面の広い箇所に特に好適に適用されるパッド付き救急絆創膏に関するものである。
【背景技術】
【０００２】
従来のパッド付き救急絆創膏は、貼り替えや使用後に、皮膚から剥がす時に粘着テープの粘着力が強いため、剥がすことが困難となる場合があった。また、長時間貼り続けておくと粘着性が増し、さらに剥がし難くなって、指に巻いた時などには粘着テープが重合して一層剥がしにくくなるという不都合があった。
【０００３】
このような課題を解決すべく本発明者は、特許文献１において、粘着テープのうち、パッドから離れすぎず、かつパッドの極近傍を避けて、パッドの近傍両側に、患部から剥がす時にパッドの端を摘み上げて横に引っ張ることにより切断可能な２本の切断線を設けた剥がし易い救急絆創膏を提案した。
【０００４】
これによれば、救急絆創膏を貼り替えたり剥がしたりするときに、粘着テープを端から剥がそうとしたり、引っ張ったりする必要がなく、傷口を傷めたり皮膚を引っ張ることもなく痛みも少なく剥がすことができるので、幼い子供の傷等の手当には最適で、何度でも貼り替えてあげられるため患部を清潔に保つことができるという有用性を発揮することができる。
【特許文献１】特許第４０３８４８６号
【発明の開示】
【発明が解決しようとする課題】
【０００５】
ところで、上記特許文献のパッド付き救急絆創膏は、創面が比較的狭い場合に適用されるものであって、粘着テープ幅も比較的幅狭であり、粘着テープの長辺方向にはパッドの両側に充分な粘着しろが存するのに対して、粘着テープの短辺方向にはパッドの両側にほとんど粘着しろが存しない。したがって、上記のようにパッドの両側に切断線を２本設け、パッドを横に引っ張ることによって何れか一方の切断線を切断すれば、粘着テープが中央から分離されて左右の分離片を容易に剥がすことができた。
【０００６】
しかしながら、この種のパッド付き救急絆創膏には、創面（傷口の面）が広い時用のものとして、パッドの周囲全域に粘着テープによる充分な粘着しろを有するタイプのものがある。このようなタイプのものは、パッドの周囲をしっかり固定できるメリットがあるが、逆に剥がすときには、上記特許文献のように長辺方向に沿ってパッドの両側に２本の切断線を設けても、パッド近傍の切断線を破断した後、更に短辺方向の両側に粘着テープの端部に至る強く粘着した領域が存在するため、パッドを摘み上げたままでこれら両側の粘着しろの切断線を簡単に破断することは困難である。
【０００７】
本発明は、このような課題に着目してなされたものであって、創面が広いときに特に有効に適用できて、使用後に簡単、適切に剥がすことを可能にする新たな構造のパッド付き救急絆創膏を提供することを目的としている。
【課題を解決するための手段】
【０００８】
本発明は、かかる目的を達成するために、次のような手段を講じたものである。
【０００９】
すなわち、本発明のパッド付き救急絆創膏は、パッドの周囲全域に粘着テープによる充分な粘着しろを有するパッド付き救急絆創膏であって、前記粘着しろのうち、パッドから離れすぎず、かつパッドの極近傍を避けた位置に、患部から剥がす際にパッドを摘み上げることにより破断可能な破断誘導部をパッドの周囲に一部余白部を残して形成し、その破断誘導部が破断されるに伴い、前記余白部を介して破断誘導部の内側から外側に粘着テープが連なった状態で剥がされるようにしたことを特徴とする。
【００１０】
このように構成すると、創面が広い場合に問題となるパッド周辺の充分な広さの粘着しろに対して、パッドを摘み上げることによるパッド近傍の粘着しろの剥離と、破断誘導部よりも外側の粘着しろの剥離とを一連に行うことができるので、破断誘導部の一部に対して最初のきっかけとなる破断さえ行えば、後は一連の操作によって全体の剥離を無理なく完了することができる。
【００１１】
その際、破断誘導部を破断した段階で余白部の外側に位置する粘着しろが広いと、これを剥がすときに抵抗が大きくなる場合がある。このような場合には、破断誘導部に、パッドの周囲から離れて粘着テープの端部に至る第２の破断誘導部を連設して、破断誘導部に引き続き第２の破断誘導部が破断されるに伴い、前記余白部を介して破断誘導部の内側から外側に粘着テープが連なって螺旋状に剥がされるように構成しておくことが望ましい。
【００１２】
このように構成すれば、余白部の外側に位置する粘着しろが端からめくるように剥がされるので、抵抗が小さくて済み、その後に螺旋状に剥がすことによっても、破断誘導部の外側の粘着しろの剥離抵抗を半減させることができる。
【発明の効果】
【００１３】
以上のように、本発明のパッド付き救急絆創膏は、パッド周囲に充分な粘着しろを備えることにより、創面の広い患部にしっかりと密着させて取り付けることができるにも拘わらず、剥がすときにはパッドを摘み上げてパッド周囲の破断誘導部を破断した後、余白部を介して破断誘導部の外側の粘着しろを連ねて剥がすことができるので、適正な粘着機能を損なうことなく、剥がしたり貼り替えたりする操作を無理なく簡単に行うことができる優れた作用効果が奏される。
【発明を実施するための最良の形態】
【００１４】
以下、本発明の実施形態を、図１及び図２を参照して説明する。
（第１実施形態）
【００１５】
図１は本実施形態に係るパッド付き救急絆創膏の構成を示す図で、粘着テープ１は長辺と短辺の間にあまり差がないほぼ矩形状のものであり、パッド８もこれに対応したほぼ矩形状のものであって、パッド８の周囲に充分な粘着しろ１ｘがほぼ均等に存在している。
【００１６】
そして、パッド８の周囲において、パッド８から離れすぎない程度に近傍であり、かつ、パッド８の極近傍を避けた位置に、カット部５を連ねた破断誘導部３をパッド８の周囲に一部余白部６を残して形成している。この破断誘導部３は、例えば患部から剥がす際にパッド８の端を摘み上げて横に引っ張り或いはねじること等によって破断可能なものである。具体的には、パッドの３辺に沿って破断誘導部３を設け、残り１辺に余白部６が残してある。
【００１７】
カット部５は、２〜３ｍｍ程度の長さに設定され、隣のカット部５との間隔を約３ｍｍ程度あけて、ミシン目状に粘着テープ１の肉厚を切断して形成してある。
【００１８】
ここに言うパッドから離れすぎない程度の近傍とは、パッド８から離れすぎると粘着しろ１ｘのうち特にパッド８と破断誘導部３の間の領域における粘着状態が高くなって剥がれにくくなり、これを回避する程度に近傍であることを意味する。このような近傍位置に破断誘導部３を設けることで、粘着テープ１を破断誘導部３で容易に切断してパッド８との間を分離させる事が出来る。また、極近傍とは、パッド８にほぼ隣接した部位をいう。パッド８の極近傍では皮膚に粘着しないか或いは粘着状態が極めて低い状態となるため、このような位置に破断誘導部８を設けると粘着テープ１の貼り方や使用者の動作、関節など使用場所によって使用中に容易に破れるおそれがあり、これを回避する程度にパッド８との距離を保つことを意味する。
【００１９】
このパッド付き救急絆創膏の破断誘導部３は、当該絆創膏の使用後に破断される。その際、パッド８を摘み上げると、図２に示すように粘着テープ1が破断誘導部３で切れながら、破断誘導部３の入っていない余白部６で破断誘導部３が切れ終わり、そこから逆に引っ張ることで、粘着テープ１の剥離は余白部６を介して破断誘導部３の内側の粘着しろ１ａから外側の粘着しろ１ｂへ移り、結果的に粘着テープ１は、破断誘導部３の内側、外側と順次連なった状態で患部から無理なく剥がされることになる。
【００２０】
上記のようなミシン目状の破断誘導部３に代えて、図３（ａ）に示すように薄く削り或いは薄肉に成形した線状の破断誘導部３０を設けたところ、粘着テープ１の抵抗が多少増えるものの、粘着テープ１はそれらの破断誘導部３０に沿って破断し、図１及び図２の場合と同じような結果が得られることが確認できた。
【００２１】
また、図３（ｂ）に示すように丸い穿孔状のカット部５０を間欠的に連ねた破断誘導部３１を採用したところ、ミシン目状にカットした図１及び図２の破断誘導部３に比べて、パッド８を摘み上げて剥がす際の抵抗は多少増えるが、例えば手の甲に貼った場合に握る動作をして皮膚が伸縮してもしっかり貼られているため患部を的確に保護することができる。そして、図１及び図２の場合と同じような方法で患部から剥がすことが出来ることが確認できた。
（第２実施形態）
【００２２】
次に、本発明の第２実施形態を、図４を参照して説明する。
【００２３】
図４（ａ）に示すパッド付き救急絆創膏は、上記第１実施形態に係るパッド付き救急絆創膏と比べて、パッド８の周囲の粘着しろが均等ではなく、粘着テープ２の長辺方向の粘着しろ１ｙが短辺方向の粘着しろ１ｚに対して更に広い点で相違する。このような長形の粘着テープ２に対して、図１の破断誘導部３と同様の態様で３辺にのみ沿った破断誘導部を設けた場合、破断誘導部を破断してパッド８を剥がすことは出来るが、余白部７の外側に位置する粘着しろ１ｙの抵抗が激しくて、第１実施形態の構造では剥がすことが困難であった。
【００２４】
そこで、この実施形態は、破断誘導部３と同様の破断誘導部４を設けた上で、その破断誘導部４の始端（或いは終端）に連続させて、粘着テープ２の端部に至る第２の破断誘導部４０を長辺に平行に延びるように設けることとした。これによると、パッド８を摘み上げることにより破断誘導部４が破断され、さらに粘着テープ１を剥がすことで第２の破断誘導部４０も破断され、その第２の破断誘導部４０が破断される際に、粘着しろ１ｙが隅からめくるように剥がされた後、図５に示すように破断誘導部４の外側の粘着しろ１ｂが螺旋状に剥がされていくので、剥離抵抗を低減ないし半減させて、全体を容易に剥がすことができるようになった。
【００２５】
図４（ａ）のように第２の破断誘導部４０を粘着テープ２の長辺に平行に延びるように設けるのではなく、同図（ｂ）に示すように第２の破断誘導部４１を粘着テープ２の短辺に平行に延びるように設けてみたところ、上記と同じように破断誘導部４と第２の破断誘導部４１が切断され、余白部９の外側に位置する粘着しろ１ｚ´が端からめくれるように剥がされた後、破断誘導部３の外側の粘着しろ１ｂが螺旋状に剥がしていく事で容易に剥がすことができた。
（第３実施形態）
【００２６】
図６は円形ないし楕円形のパッド１０を採用したもので、上記に準じて、円形のパッド１０の周囲に、パッド１０から離れすぎず且つパッド１０の極近傍を避けて、パッド１０の周囲の一部に余白部１１を残した状態で破断誘導部１２や第２の破断誘導部１３を設けたものである。破断誘導部の形状を、図１の破断誘導部３や図４（ａ）、（ｂ）の破断誘導部４のように矩形状とすることでも剥がすことは出来るが、パッドの周囲に必要以上に大きい粘着しろがあるとパッド１０を摘み上げて剥がす際に少々困難を伴う場合がある。これに対して、図６に示すように破断誘導部１２の形状を余白部１１を設けつつパッド１０の周囲に沿った円形ないし楕円形とすることで、円滑な剥離が可能となった。このように、破断誘導部の形状は、パッドの形態にある程度依存した形とすることが望ましい。
【００２７】
以上の各実施形態において、破断誘導部の位置は救急絆創膏のパッドの極近傍に入れると、破断誘導部の入れ方や貼り方、動作、関節など場所によっては破断誘導部が破れる可能性がある。破断誘導部をパッドの端から約５ｍｍ離れた位置に入れた場合には、剥がすことは出来るが、肌質によっては強く貼り着くので剥がすとき皮膚への痛みを感じる事があった。これに対して、パッドの厚さや粘着性、伸縮性等、製品に異なるが、概してパッドから約１〜３ｍｍ離した場合には、パッドから離れ過ぎず、近からず、使用中に破断するおそれが少なく、剥がすとき粘着テープの粘着力や伸縮性などによる肌への痛みを軽減し、患部を保護し容易に取り剥がす事が出来るようになった。
【００２８】
したがって、本実施形態のパッド付き救急絆創膏を使用すると、パッドの周囲が充分な粘着しろによって患部にしっかり粘着していても、貼り替えたり剥がしたりするときに、粘着テープを端から剥がそうとしたり、引っ張ったりする必要がなく、傷口を痛めたり皮膚を引っ張ることもなく痛みも少なく剥がす事が出来るので、幼い子供の傷等の手当てには最適で、何度でも張り替えてあげられるため清潔に患部を保持する事が出来る利点がある。
【００２９】
特に、このような創面の広い時用のパッド付き救急絆創膏は、家庭や学校、職場等に置かれて、必要な時に誰もが使用する物であり、世界的にも普及されている物である。本発明のパッド付き絆創膏は老若男女問わず、剥がすときの不便さを減少する事ができるので、さらに普及することが期待される。
【００３０】
なお、各部の具体的な構成は上記実施形態に限定されるものではない。例えば、このパッド付き救急絆創膏は、形態や粘着力、パッドの厚さ、ウレタン製であるといった素材の選択、ストライプ加工その他の加工の態様等、製品によってその特性が異なるので、破断誘導部の形状や入れ方、パッドと切断線の間隔等は上記実施例に記載したとおりにする必要は無い。その他の構成も、本発明の趣旨を逸脱しない範囲で種々変形実施することができる。
【図面の簡単な説明】
【００３１】
【図１】本発明の第１実施形態に係るパッド付き救急絆創膏を示す平面図。
【図２】同実施形態の使用状態を示す斜視図。
【図３】本発明の変形例を示す図。
【図４】本発明の第２実施形態を示す平面図。
【図５】同実施形態の作用説明図。
【図６】本発明の第３実施形態を示す平面図。
【符号の説明】
【００３２】
１、２…粘着テープ
１ａ、１ｂ、１ｘ、１ｙ、１ｚ、１ｚ´…粘着しろ
３、４、１２、３０、３１…破断誘導部
５…カット部
６、７、９、１１…余白部
８、１０…パッド部
１３、４０…第２の破断誘導部
【図１】
2009240603.tif 000003
【図２】
2009240603.tif 000004
【図３】
2009240603.tif 000005
【図４】
2009240603.tif 000006
【図５】
2009240603.tif 000007
【図６】
2009240603.tif 000008